【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
飲料調製システムによって加熱され泡立てられる飲料を自動的に調製する方法であって、
当該方法は、
加熱され泡立てられるべき液体を保持するように構成された容器を、前記飲料調製システムの支持アセンブリと係合するように収容すること、
前記飲料調製システムのワンドユニットを前記容器内に挿入すること、
前記ワンドユニットの先端が泡立てを行う深さまで前記液体中に沈められるように、前記支持アセンブリを前記ワンドユニットに相対的に、または、前記ワンドユニットを前記支持アセンブリに相対的に、モータによって自動的に動かすこと、ただし前記泡立てを行う深さは、前記ワンドユニットの前記先端がほぼ液面にポジショニングされるような深さであり、そして、
前記泡立てを行う深さにおいて、前記ワンドユニットの前記先端からスチームを放出させ、それによって前記液体を泡立てること、
を含む、
飲料調製システムによって加熱され泡立てられる飲料を自動的に調製する方法。
【請求項２】
前記ワンドユニットの先端を、前記泡立てを行う深さよりも深い加熱を行う深さまで前記液体中に沈めること、および、
前記加熱を行う深さにおいて、前記ワンドユニットの前記先端からスチームを放出させ、それによって前記液体を加熱すること、
をさらに含む、
請求項１記載の方法。
【請求項３】
前記ワンドユニットを前記容器から自動的に取り出すこと、
をさらに含む、
請求項１記載の方法。
【請求項４】
前記容器を前記支持アセンブリに固定すること、
前記支持アセンブリを回転させられたポジションまで少なくとも９０°回転させること、および、
前記回転させられたポジションにおいて前記容器が前記支持アセンブリに固定された状態で、前記容器を洗浄すること、
をさらに含む、
請求項１記載の方法。
【請求項５】
前記容器を前記支持アセンブリに固定することは、前記容器を前記支持アセンブリに磁気的に固定すること、を含む、
請求項４記載の方法。
【請求項６】
前記ワンドユニットの上端にポジショニングされた前記飲料調製システムのカラーから、前記ワンドユニットの外面に向けて洗浄流体を噴霧すること、
前記洗浄流体を前記ワンドユニットの縦長の長さの少なくとも大部分に落下させて流すこと、および、
前記洗浄流体をドレン内で受け取ること、
をさらに含む、
請求項１記載の方法。
【請求項７】
プロセッサおよびメモリを含む前記飲料調製システムのコントローラによって、前記容器内の液面の位置を求めること、
をさらに含む、
請求項１記載の方法。
【請求項８】
前記容器内の液面の位置を求めることは、
前記容器に関する識別入力を受け取ること、および、
前記飲料調製システムのデータベースにアクセスすること、
を含み、前記データベースは、前記識別入力と前記容器の液面の対応する位置との相互参照を有する、
請求項７記載の方法。
【請求項９】
細長いワンドユニットを洗浄する装置であって、
前記ワンドユニットは、泡立てられる飲料を調製するために液体中に挿入されるように構成されており、前記ワンドユニットは上端および下端を有しており、
当該装置は、洗浄流体の流れを受け取るように構成された環状カラーを備えており、前記環状カラーは、前記ワンドユニットの前記上端の外面周囲にポジショニングされ、前記環状カラーは外面および内面を有しており、前記内面は１つのダクトを備えており、
前記環状カラーは、前記１つのダクトを介して、前記洗浄流体を前記ワンドユニットの前記上端の前記外面に対してディスペンスし、それによってディスペンスされた前記洗浄流体を、前記細長いワンドユニットの実質的に縦長の長さ全体に落下させて流すことができる、ように構成されている、
細長いワンドユニットを洗浄する装置。
【請求項１０】
前記１つのダクトは複数のホールを有する、
請求項９記載の装置。
【請求項１１】
前記１つのダクトは、前記内面の周囲にわたり１つの連続したギャップを有する、
請求項１０記載の装置。
【請求項１２】
前記環状カラーは、前記ワンドユニットの最上端にポジショニングされている、
請求項９記載の装置。
【請求項１３】
請求項９記載の装置と前記ワンドユニットとの組み合わせ体。
【請求項１４】
容器内において加熱され泡立てられる飲料を調製するシステムであって、
当該システムは、
先端を有するワンドから成るスチームディスペンスユニットと、
加熱され泡立てられるべき液体を収容する容器の底部を係合させるように構成された支持アセンブリと、
前記支持アセンブリと接続され、前記支持アセンブリ及び該支持アセンブリに受け止められた前記容器を前記ワンドに相対的に移動させるように構成された、昇降機構と、
前記昇降機構の動作を制御するように構成されたコントローラと、
を備えており、
前記システムは、
前記容器内の前記液体の液面を検出し、
前記ワンドの前記先端がほぼ前記液面にポジショニングされる泡立てポジションに前記ワンドの前記先端を位置させるように前記昇降機構を動かし、
前記ワンドの前記先端から前記液体中にスチームを放出し、そして、
スチームの放出中に、前記ワンドの前記先端が前記液体の前記泡立てポジションに保持されるように、前記昇降機構の位置を自動的に調整するように、構成されている、
容器内において加熱され泡立てられる飲料を調製するシステム。
【請求項１５】
前記昇降機構は、概ね鉛直方向の軸に沿って移動するように構成されている、
請求項１４記載のシステム。
【請求項１６】
前記昇降機構は、さらに、正立ポジションと倒立ポジションとの間で概ね水平方向の軸を中心に前記支持アセンブリを回転させるように構成されている、
請求項１４記載のシステム。
【請求項１７】
前記支持アセンブリは、前記倒立ポジションにおいて前記容器が前記支持アセンブリと係合されたまま保持されるように、前記容器と結合するように構成されている、
請求項１６記載のシステム。
【請求項１８】
容器内において加熱され泡立てられる飲料を調製するシステムであって、
当該システムは、
前記容器を受け止めかつ支持するように構成された基部と、
縦長ダクトと、上端と、先端を含む下端とを備え、前記縦長ダクトを介してスチーム流を搬送し、前記先端から前記スチーム流を放出するように構成された、ワンドユニットと、
前記ワンドユニットと接続され、第１のワンドポジションと第２のワンドポジションとに前記ワンドユニットを移動させるように構成された、機械式リンク機構と、
洗浄流体の流れを受け取るように構成された環状カラーと、
を備えており、
前記システムは、
前記容器が前記基部上にポジショニングされ、かつ、前記ワンドユニットが前記第１のワンドポジションにあるときに、前記ワンドユニットの前記先端が、前記容器内に収容され、これによって、前記スチーム流が、前記ワンドユニットの前記先端から前記容器内の飲料内に放出されて、該飲料を加熱しかつ泡立てることができるように、そして、
前記容器が前記基部上にポジショニングされ、かつ、前記ワンドユニットが前記第２のワンドポジションにあるときに、前記ワンドユニットの前記先端が、前記容器の外側にポジショニングされ、前記ワンドユニットの一部が、前記環状カラー内に受け入れられ、これによって、前記洗浄流体が、前記環状カラーから放出されて、前記ワンドユニットの外面に対して噴霧されるように、構成されている、
容器内において加熱され泡立てられる飲料を調製するシステム。
【請求項１９】
前記ワンドユニットを前記第１のワンドポジションと前記第２のワンドポジションとの間で移動させるために前記機械式リンク機構を駆動するように構成されたモータをさらに備えている、
請求項１８記載のシステム。
【請求項２０】
前記基部は、前記容器と磁気的に結合するように構成されている、
請求項１８記載のシステム。
【請求項２１】
前記環状カラーは、複数のホールを有する内面を備える、
請求項１８記載のシステム。
【請求項２２】
前記システムは、さらに、前記ワンドユニットを前記第１のワンドポジションから前記第２のワンドポジションへ自動的に移動させるように、構成されている、
請求項１８記載のシステム。